(57)【要約】  どのような振り方をしても表示される文字が間延びしたり、歪んだりしないようにすることができ、且つ平面的又は立体的に文字や絵を表示することができる表示装置、携帯端末装置を提供する。  携帯端末装置（１００）は、空間に表示するための表示データを記憶する記憶部（１０５）と、携帯端末装置（１００）の加速度を検出する加速度センサ（１０１）と、検出した加速度に基づいて、表示データを表示させるための空間位置を算出する２重積分部（１１１）と、算出された空間位置のデータと表示データとの対応を関連づけて読み出すアドレスを生成する空間位置と表示データの関連付け部（１１２）と、生成したアドレスに基づき記憶部（１０５）から該当する表示データを読み出す表示データ読み出し部（１１３）と、読み出した表示データを表示するスイング文字表示部（１０２）とを有する。
2009013791.tif 000002
【特許請求の範囲】
【請求項１】
空間に表示するための表示データを表示する表示装置であって、
前記表示データを記憶する記憶部と、
当該表示装置の加速度を検出する加速度検出部と、
前記加速度に基づいて、前記表示データを表示させるための空間位置を算出する空間位置算出部と、
前記空間位置に当該表示装置が位置する場合、前記表示データを表示する表示データ表示部と
を有する表示装置。
【請求項２】
請求項１に記載の表示装置であって、更に、
前記記憶部における前記表示データが記憶されたアドレスを生成するアドレス生成部を有し、
前記記憶部は、前記表示データをビット列で記憶するとともに、前記表示データが記憶された当該記憶部におけるアドレスを記憶し、
前記表示データ表示部は、前記記憶部における前記アドレスに対応するビット列に基づいて表示する表示装置。
【請求項３】
請求項１または２に記載の表示装置であって、
前記加速度検出部は、２次元における加速度を検出する表示装置。
【請求項４】
請求項１または２に記載の表示装置であって、
前記加速度検出部は、３次元における加速度を検出する表示装置。
【請求項５】
請求項３または４に記載の表示装置であって、
前記加速度検出部は、角加速度を検出する表示装置。
【請求項６】
請求項１ないし５のいずれか１項に記載の表示装置であって、
前記空間位置算出部は、当該表示装置の移動の中心位置を算出し、
前記表示データ表示部は、前記中心位置を前記表示データの中心の位置として、前記表示データを表示する表示装置。
【請求項７】
請求項１ないし５のいずれか１項に記載の表示装置であって、
前記空間位置算出部は、当該表示装置の移動範囲の端の位置を算出し、
前記表示データ表示部は、前記端の位置を前記表示データの表示の開始位置として、前記表示データを表示する表示装置。
【請求項８】
請求項１ないし７のいずれか１項に記載の表示装置であって、
前記表示データ表示部は、前記加速度検出部により当該表示装置の移動が検出された場合、前記表示データの表示を開始する表示装置。
【請求項９】
請求項１ないし８のいずれか１項に記載の表示装置を搭載した携帯端末装置。
【請求項１０】
空間に表示するための表示データを表示するための表示方法であって、
表示装置において、
前記表示装置の加速度を検出するステップと、
前記加速度に基づいて、前記表示データを表示させるための空間位置を算出するステップと、
前記空間位置に前記表示装置が位置する場合、前記表示データを表示するステップと
を有する表示方法。
【発明の詳細な説明】
【技術分野】
【０００１】
本発明は、ＬＥＤを使用して文字や図形等を表示する空間表示装置、携帯電話機やＰＤＡ（Ｐｅｒｓｏｎａｌ  Ｄｉｔｉｔａｌ  Ａｓｓｉｓｔａｎｔｓ）などの携帯端末装置に関する。
【背景技術】
【０００２】
ＬＥＤを用いた空間表示装置は、端末をスイングさせた場合に端末に取り付けられているＬＥＤなどが点滅することで空間に文字や図形を表示する装置として一般に知られている。【０００３】
このような空間表示装置では、端末をスイングさせながらＬＥＤなどを断続的に点滅させ、それを見た人間の目の残像現象を利用して空間に文字が表示されているように見せている。【０００４】
近年、このような空間表示装置として、注意すべき表示を行う機能や離れたところにいる人にメッセージを伝える機能を備えた携帯電話機やＰＤＡ（Ｐｅｒｓｏｎａｌ  Ｄｉｇｉｔａｌ  Ａｓｓｉｓｔａｎｔｓ）などの携帯端末装置が提供されている。図４は、従来の携帯端末装置の例を示す図である。図４のように、携帯端末装置４００の表面にはＬＥＤ４０１が設置され、携帯端末装置４００をスイングさせた場合にこの携帯端末装置４００に取り付けられているＬＥＤ４０１が点滅することで空間に文字や図形を表示する。【０００５】
しかし、この種の携帯端末装置においては、タイマや振動を検出するスイッチなどで表示を制御しているため、携帯端末装置の振り方によっては文字や図形の表示がゆがんでしまう。【０００６】
そこで、振動検出スイッチによりスイングの始点と終点を検出し、その２点間では正弦波的に位置や速度が変わると想定して文字データの表示タイミングを算出するスイング式表示装置が知られている（例えば、特許文献１参照）。【０００７】
【特許文献１】特開平６―６７６１６号公報
【発明の開示】
【発明が解決しようとする課題】
【０００８】
しかしながら、特許文献１に示されているスイング表示装置では、始点と終点の時間間隔しか測定することができない。【０００９】
このため、例えば図５（ａ）のように遅く小さな幅で振られた場合と、図５（ｃ）のように装置が速く大きな幅で振られた場合とでは、始点と終点を往復する時間間隔は同じでも、振れ幅は大きく異なり、始点と終点を往復する時間間隔から文字表示のタイミングを制御している場合には、図５（ｂ）のように適格に振った場合と比較して表示される文字が間延びしたり縮んでしまったりする。【００１０】
また、始点と終点の間での速度の変化が正弦波的に変化することを想定して文字の表示タイミングを制御しているため、正弦波とは違う変化をすると表示される文字が歪んでしまう。【００１１】
本発明は、上記従来の事情を鑑みてなされたものであって、どのような振り方をしても表示される文字が間延びしたり、歪んだりしないようにすることができ、且つ平面的または立体的に文字や絵を表示することができる表示装置、携帯端末装置及び表示方法を提供することを目的とする。
【課題を解決するための手段】
【００１２】
上記目的を達成するために、本発明の第１の表示装置は、空間に表示するための表示データを表示する表示装置であって、前記表示データを記憶する記憶部と、当該表示装置の加速度を検出する加速度検出部と、前記加速度に基づいて、前記表示データを表示させるための空間位置を算出する空間位置算出部と、前記空間位置に当該表示装置が位置する場合、前記表示データを表示する表示データ表示部とを有する構成としている。【００１３】
この構成により、どのような振り方をしても表示される文字が間延びしたり、歪んだりしないようにすることができ、且つ平面的もしくは立体的に文字や絵等の表示データを表示することができる。【００１４】
また、本発明の第２の表示装置は、前記記憶部における前記表示データが記憶されたアドレスを生成するアドレス生成部を有し、前記記憶部が、前記表示データをビット列で記憶するとともに、前記表示データが記憶された当該記憶部におけるアドレスを記憶し、前記表示データ表示部が、前記記憶部における前記アドレスに対応するビット列に基づいて表示する構成としている。【００１５】
この構成により、記憶部に記憶されたアドレスに基づいて表示データを読み出し、表示データ表示部が表示することが可能となる。【００１６】
また、本発明の第３の表示装置は、前記加速度検出部が、２次元における加速度を検出する構成としている。【００１７】
この構成により、Ｘ軸及びＹ軸方向の位置変化を検出することができ、表示する文字や絵等の平面的な精度を向上させることができる。【００１８】
また、本発明の第４の表示装置は、前記加速度検出部が、３次元における加速度を検出する構成としている。【００１９】
この構成により、Ｘ軸とＹ軸及びＺ軸方向の位置変化を検出することができ、表示する文字や絵の空間的な精度を向上させることができる。【００２０】
また、本発明の第５の表示装置は、前記加速度検出部は、角加速度を検出する構成としている。【００２１】
この構成により、平面的または空間的な回転傾きを検出し、表示する文字のデータを補正することで、表示する文字や絵の回転的な精度を向上させることができる。【００２２】
また、本発明の第６の表示装置は、前記空間位置算出部が、当該表示装置の移動の中心位置を算出し、前記表示データ表示部が、前記中心位置を前記表示データの中心の位置として、前記表示データを表示する構成としている。【００２３】
この構成により、スイング（当該表示装置の移動）の動く範囲の中心を表示される文字列や絵の中心とするように設定することが可能である。【００２４】
また、本発明の第７の表示装置は、前記空間位置算出部が、当該表示装置の移動範囲の端の位置を算出し、前記表示データ表示部が、前記端の位置を前記表示データの表示の開始位置として、前記表示データを表示する構成としている。【００２５】
この構成により、文字の表示の開始位置をスイング（当該表示装置の移動）の動く範囲の端に設定することができる。【００２６】
また、本発明の第８の表示装置は、前記表示データ表示部が、前記加速度検出部により当該表示装置の移動が検出された場合、前記表示データの表示を開始する構成としている。【００２７】
この構成により、当該表示装置が表示データの表示位置に移動された場合に限らず、スイング（当該表示装置の移動）を検出した時点で表示処理を開始することができる。【００２８】
また、本発明の第１の携帯端末装置は、上記表示装置を搭載した構成としている。【００２９】
この構成により、どのような振り方をしても表示される文字が間延びしたり、歪んだりしないようにすることができ、且つ平面的もしくは立体的に文字や絵等の表示データを表示することができる。【００３０】
また、本発明の第１の表示方法は、空間に表示するための表示データを表示するための表示方法であって、表示装置において、前記表示装置の加速度を検出するステップと、前記加速度に基づいて、前記表示データを表示させるための空間位置を算出するステップと、前記空間位置に前記表示装置が位置する場合、前記表示データを表示するステップとを有する表示方法としている。【００３１】
この方法により、どのような振り方をしても表示される文字が間延びしたり、歪んだりしないようにすることができ、且つ平面的もしくは立体的に文字や絵等の表示データを表示することができる。
【発明の効果】
【００３２】
本発明によれば、空間の所定の位置にいつも同じデータを表示するので、どのように端末を振っても歪まずに文字を表示することができ、且つ文字や絵を平面や立体的に表示することができる。
【図面の簡単な説明】
【００３３】
【図１】本発明の実施形態における携帯端末装置の構成の一例を示す概略構成図
【図２】本発明の実施形態における携帯端末装置の動作の一例を説明するフローチャート
【図３】本発明の実施形態におけるスイング文字表示部による表示の一例を示す図
【図４】従来の携帯端末装置の構成を示す図
【図５】従来のスイング表示装置による文字表示例を示す図
【符号の説明】
【００３４】
１００  携帯端末装置
１０１  加速度センサ
１０２  スイング文字表示部
１０３  操作部
１０４  表示部
１０５  記憶部
１１０  表示制御部
１１１  ２重積分部
１１２  空間位置と表示データ関連付け部
１１３  表示データ読み出し部
４００  携帯端末装置
４０１  ＬＥＤ
【発明を実施するための最良の形態】
【００３５】
以下、本発明の実施形態の携帯端末装置について、図面を用いて説明する。【００３６】
図１は、本発明の実施形態の携帯端末装置の構成の一例を示す概略構成図である。【００３７】
携帯端末装置１００は、加速度センサ１０１と、スイング文字表示部１０２と、操作部１０３と、表示部１０４と、記憶部１０５と、表示制御部１１０と、を有して構成される。尚、携帯端末装置１００は「表示装置」の一例である。【００３８】
携帯端末装置１００は、ユーザに保持され、保持したユーザが携帯端末装置１００を振ることで空中に文字を表示する機能を備えている。【００３９】
加速度センサ１０１は、携帯端末装置１００の移動や振動により発生する加速度を検出する。尚、加速度センサ１０１は「加速度検出部」としての機能を有する。【００４０】
スイング文字表示部１０２は、表示データに応じて対応したＬＥＤなどの発光デバイスや液晶などの表示デバイスを規定の時間だけ点灯させ表示する。尚、スイング文字表示部１０２は「表示データ表示部」としての機能を有する。【００４１】
操作部１０３は、表示する文字や絵、図形等の表示データの入力や選択などを行う。【００４２】
表示部１０４は、操作部１０３で表示する文字や絵等の入力や選択を行う場合に、ユーザに必要な情報を表示する。【００４３】
記憶部１０５が、空間に表示する文字や絵等のデータを蓄積する。これらの文字や絵等のデータは、表示すべき表示データビット列で表され、記憶部１０５におけるアドレスとともに管理されている。【００４４】
表示制御部１１０は、加速度センサ１０１より検出した加速度に基づいて表示文字等の空間位置を判断し、記憶部１０５からデータを読み出して、スイング文字表示部１０２において、判断した位置に記憶部１０５から読み出したデータを表示するよう制御する。この表示制御部１１０は、２重積分部１１１と、空間位置と表示データの関連付け部１１２と、表示データ読み出し部１１３とを有して構成される。【００４５】
２重積分部１１１は、加速度センサ１０１から出力される加速度データを２重積分して空間位置のデータに変換し、その情報を空間位置と表示データの関連付け部１１２に送る。尚、２重積分部１１１は「空間位置算出部」としての機能を有する。【００４６】
空間位置と表示データの関連付け部１１２は、２重積分部１１１から送られる空間位置のデータと表示する文字等のデータとの対応を関連づけて読み出す表示データのビット列のアドレスを生成し、表示データ読出し部１１３に送る。尚、空間位置と表示データの関連付け部１１２は「アドレス生成部」としての機能を有する。【００４７】
表示データ読み出し部１１３は、空間位置と表示データの関連付け部１１２から送られたアドレスに基づき、記憶部１０５から該当する表示データを読み出し、スイング文字表示部１０２に送る。【００４８】
次に、携帯端末装置１００の動作について説明する。図２は、携帯端末装置２００の動作の一例を説明するフローチャートである。ここでは、主に文字の表示について取り上げているが、他の表示データであってもよい。【００４９】
まず、操作部１０３による入力操作等により、文字表示の開始を設定すると、加速度センサ１０１が携帯端末装置１００の移動等に伴う加速度データの検出を開始する（ステップＳ２０１）。尚、入力操作ではなく、加速度センサ１０１などにより携帯端末装置１００の動きを検出することで、図２の動作を開始しても良い。【００５０】
ステップＳ２０１で検出された加速度データが表示制御部１１０に送られ、２重積分部１１１が送られてきた加速度データに対して２重積分を行い、空間位置情報に変換する（ステップＳ２０２）。【００５１】
そして、空間位置と表示データの関連付け部１１２は、ステップＳ２０２で変換された空間位置情報をもとに、文字や絵のデータを表示すべき位置に携帯端末装置１００が移動されたかどうかを判定する（ステップＳ２０３）。【００５２】
携帯端末１００が表示すべき位置に移動されたと判定すると、空間位置と表示データの関連付け部１１２は、その位置で表示すべき表示データのビット列の記憶部１０５におけるアドレスを生成する（ステップＳ２０４）。この場合、空間位置と表示データの関連付け部１１２が、文字の表示の開始位置を携帯端末装置１００の動く範囲の端に設定することもできるし、携帯端末装置１００の動く範囲の中心を表示される文字列や絵の中心とするように設定することも可能である。【００５３】
続いて、表示データ読み出し部１１３が、ステップＳ２０４で生成されたアドレスのデータを記憶部１０５から読み出す（ステップＳ２０５）。【００５４】
読み出されたデータは、スイング文字表示部１０２に送られてスイング文字表示部１０２によって表示される（ステップＳ２０６）。【００５５】
そして、表示制御部１１０が操作部１０３から文字表示の終了指示があるかを判断し（ステップＳ２０７）、文字表示の終了指示がないと判定した場合、ステップＳ２０１に戻り、再度携帯端末装置１００の移動に伴う加速度データの検出を開始する。【００５６】
一方、ステップＳ２０７において、文字表示の終了指示があったと判定した場合、文字表示の処理を終了する。ユーザが文字表示を終了したいとき、操作部１０３により文字表示の終了指示が入力され、表示制御部１１０が操作部１０３からの文字表示の終了指示有無を判断することにより、文字表示を引続き実行するかを判定する。【００５７】
また、ステップＳ２０３において、携帯端末１００が表示すべき位置に移動されていないと判定した場合、直ちにステップＳ２０７に進み、表示制御部１１０が操作部１０３からの文字表示の終了指示があるかを判断する。【００５８】
次に、具体的なスイング文字表示部１０２による表示例について説明する。図３はスイング文字表示部１０２による表示例を示した図である。図３では、表示すべき文字は「ＡＢ」である。【００５９】
図３（ａ）は、携帯端末１００の動く範囲が文字等の表示範囲よりも狭い場合の表示例を示す図である。この場合、表示すべき文字の最初の文字だけが表示されるなど、文字等がつぶれずに一部だけ表示される。【００６０】
図３（ｂ）は、携帯端末１００の動く範囲が文字等の表示範囲と同じ場合の表示例を示す図である。この場合、表示すべき文字等が全て表示されている。【００６１】
図３（ｃ）は、携帯端末１００の動く範囲が文字等の表示範囲よりも広い場合の表示例を示す図である。この場合、表示すべき文字等が全て表示されているが、表示範囲の一部では表示すべき文字等が無いため、何も表示されていない。【００６２】
図３のように、携帯端末１００では、表示すべき文字を表示させる空間位置を固定位置としているため、文字等の幅が変化して歪むことようなことがなく、一定の形で表示される。【００６３】
次に、加速度センサ１０１による加速度検出の一例について説明する。加速度センサ１０１は、例えば、（１）Ｘ軸及びＹ軸方向の加速度を検出、（２）Ｘ軸とＹ軸及びＺ軸方向の加速度を検出、（３）角加速度を検出することが可能である。【００６４】
（１）Ｘ軸及びＹ軸方向の加速度を検出する場合
加速度センサ１０１は、Ｘ軸及びＹ軸方向の加速度を検出する。この場合、携帯端末装置１００において平面的に文字や絵等を表示する。加速度センサ１０１は、平面的な位置変化を検出する。これにより、スイング文字表示部１０２の表示する文字や絵等の平面的な精度を向上させることができる。【００６５】
（２）Ｘ軸とＹ軸及びＺ軸方向の加速度を検出する場合
加速度センサ１０１は、Ｘ軸とＹ軸及びＺ軸方向の加速度を検出する。この場合、携帯端末装置１００において空間的に文字や絵等を表示する。加速度センサ１０１は、携帯端末装置１００において空間的な位置変化を検出する。これにより、スイング文字表示部１０２の表示する文字や絵等の空間的な精度を向上させることができる。【００６６】
（３）角加速度を検出する場合【００６７】
加速度センサ１０１は、携帯端末装置１００の平面的または空間的な傾きを検出するジャイロセンサである。この場合、携帯端末装置１００において傾きを検出して文字や絵等を表示する。加速度センサ１０１は、携帯端末装置１００の回転的な位置変化を検出する。これにより、スイング文字表示部１０２が表示する文字や絵等の回転的な精度を向上させることができる。尚、ジャイロセンサの代わりに、もしくはジャイロセンサに追加してカメラで外部の映像を撮影し、撮影した画像の変化から携帯端末装置１００の動きを検出して文字等の表示を補正してもよい。【００６８】
このような携帯端末装置１００によれば、加速度センサ１０１で検出した加速度データを２重積分部１１１で２重積分して位置情報に変換し、この位置情報に基づいて空間位置と表示データの関連付け部１１２で表示する文字や絵等のデータのアドレスを生成し、アドレスのデータを表示データ読み出し部１１３が記憶部１０５から読み出してスイング文字表示部１０２に送り、表示を行う。これによって、スイング文字表示部１０２が位置情報に基づいて文字や絵等のデータを表示することができ、携帯端末装置１００がどのような動きをしても文字や絵等をひずみ無く表示することができる。
【産業上の利用可能性】
【００６９】
以上のように、本発明は、どのような振り方をしても表示される文字が間延びしたり、歪んだりしないようにすることができ、且つ平面的または立体的に文字や絵を表示することができるという効果を有し、ＬＥＤを使用して文字や図形を表示する空間表示装置、携帯端末装置等として有用である。
【図１】
2009013791.tif 000003
【図２】
2009013791.tif 000004
【図３】
2009013791.tif 000005
【図４】
2009013791.tif 000006
【図５】
2009013791.tif 000007
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
空間に表示するための表示データを表示する表示装置であって、
前記表示データを記憶する記憶部と、
当該表示装置の加速度を検出する加速度検出部と、
前記加速度に基づいて、前記表示データを表示させるための空間位置を算出する空間位置算出部と、
前記空間位置に当該表示装置が位置する場合、前記表示データを表示する表示データ表示部と
を有する表示装置。
【請求項２】
請求項１に記載の表示装置であって、更に、
前記記憶部における前記表示データが記憶されたアドレスを生成するアドレス生成部を有し、
前記記憶部は、前記表示データをビット列で記憶するとともに、前記表示データが記憶された当該記憶部におけるアドレスを記憶し、
前記表示データ表示部は、前記記憶部における前記アドレスに対応するビット列に基づいて表示する表示装置。
【請求項３】
請求項１または２に記載の表示装置であって、
前記加速度検出部は、２次元における加速度を検出する表示装置。
【請求項４】
請求項１または２に記載の表示装置であって、
前記加速度検出部は、３次元における加速度を検出する表示装置。
【請求項５】
請求項３または４に記載の表示装置であって、
前記加速度検出部は、角加速度を検出する表示装置。
【請求項６】
請求項１ないし５のいずれか１項に記載の表示装置であって、
前記空間位置算出部は、当該表示装置の移動の中心位置を算出し、
前記表示データ表示部は、前記中心位置を前記表示データの中心の位置として、前記表示データを表示する表示装置。
【請求項７】
請求項１ないし５のいずれか１項に記載の表示装置であって、
前記空間位置算出部は、当該表示装置の移動範囲の端の位置を算出し、
前記表示データ表示部は、前記端の位置を前記表示データの表示の開始位置として、前記表示データを表示する表示装置。
【請求項８】
請求項１ないし７のいずれか１項に記載の表示装置であって、
前記表示データ表示部は、前記加速度検出部により当該表示装置の移動が検出された場合、前記表示データの表示を開始する表示装置。
【請求項９】
請求項１ないし８のいずれか１項に記載の表示装置を搭載した携帯端末装置。
【請求項１０】
空間に表示するための表示データを表示するための表示方法であって、
表示装置において、
前記表示装置の加速度を検出するステップと、
前記加速度に基づいて、前記表示データを表示させるための空間位置を算出するステップと、
前記空間位置に前記表示装置が位置する場合、前記表示データを表示するステップと
を有する表示方法。
【手続補正２】
【補正対象書類名】明細書
【補正対象項目名】全文
【補正方法】変更
【補正の内容】
【発明の詳細な説明】
【技術分野】
【０００１】
本発明は、ＬＥＤを使用して文字や図形等を表示する空間表示装置、携帯電話機やＰＤＡ（Ｐｅｒｓｏｎａｌ  Ｄｉｔｉｔａｌ  Ａｓｓｉｓｔａｎｔｓ）などの携帯端末装置に関する。
【背景技術】
【０００２】
ＬＥＤを用いた空間表示装置は、端末をスイングさせた場合に端末に取り付けられているＬＥＤなどが点滅することで空間に文字や図形を表示する装置として一般に知られている。
【０００３】
このような空間表示装置では、端末をスイングさせながらＬＥＤなどを断続的に点滅させ、それを見た人間の目の残像現象を利用して空間に文字が表示されているように見せている。
【０００４】
近年、このような空間表示装置として、注意すべき表示を行う機能や離れたところにいる人にメッセージを伝える機能を備えた携帯電話機やＰＤＡ（Ｐｅｒｓｏｎａｌ  Ｄｉｇｉｔａｌ  Ａｓｓｉｓｔａｎｔｓ）などの携帯端末装置が提供されている。図４は、従来の携帯端末装置の例を示す図である。図４のように、携帯端末装置４００の表面にはＬＥＤ４０１が設置され、携帯端末装置４００をスイングさせた場合にこの携帯端末装置４００に取り付けられているＬＥＤ４０１が点滅することで空間に文字や図形を表示する。
【０００５】
しかし、この種の携帯端末装置においては、タイマや振動を検出するスイッチなどで表示を制御しているため、携帯端末装置の振り方によっては文字や図形の表示がゆがんでしまう。
【０００６】
そこで、振動検出スイッチによりスイングの始点と終点を検出し、その２点間では正弦波的に位置や速度が変わると想定して文字データの表示タイミングを算出するスイング式表示装置が知られている（例えば、特許文献１参照）。
【先行技術文献】
【特許文献】
【０００７】
【特許文献１】特開平６―６７６１６号公報
【発明の概要】
【発明が解決しようとする課題】
【０００８】
しかしながら、特許文献１に示されているスイング表示装置では、始点と終点の時間間隔しか測定することができない。
【０００９】
このため、例えば図５（ａ）のように遅く小さな幅で振られた場合と、図５（ｃ）のように装置が速く大きな幅で振られた場合とでは、始点と終点を往復する時間間隔は同じでも、振れ幅は大きく異なり、始点と終点を往復する時間間隔から文字表示のタイミングを制御している場合には、図５（ｂ）のように適格に振った場合と比較して表示される文字が間延びしたり縮んでしまったりする。
【００１０】
また、始点と終点の間での速度の変化が正弦波的に変化することを想定して文字の表示タイミングを制御しているため、正弦波とは違う変化をすると表示される文字が歪んでしまう。
【００１１】
本発明は、上記従来の事情を鑑みてなされたものであって、どのような振り方をしても表示される文字が間延びしたり、歪んだりしないようにすることができ、且つ平面的または立体的に文字や絵を表示することができる表示装置、携帯端末装置及び表示方法を提供することを目的とする。
【課題を解決するための手段】
【００１２】
上記目的を達成するために、本発明の第１の表示装置は、空間に表示するための表示データを表示する表示装置であって、前記表示データを記憶する記憶部と、当該表示装置の加速度を検出する加速度検出部と、前記加速度に基づいて、前記表示データを表示させるための空間位置を算出する空間位置算出部と、前記空間位置に当該表示装置が位置する場合、前記表示データを表示する表示データ表示部とを有する構成としている。
【００１３】
この構成により、どのような振り方をしても表示される文字が間延びしたり、歪んだりしないようにすることができ、且つ平面的もしくは立体的に文字や絵等の表示データを表示することができる。
【００１４】
また、本発明の第２の表示装置は、前記記憶部における前記表示データが記憶されたアドレスを生成するアドレス生成部を有し、前記記憶部が、前記表示データをビット列で記憶するとともに、前記表示データが記憶された当該記憶部におけるアドレスを記憶し、前記表示データ表示部が、前記記憶部における前記アドレスに対応するビット列に基づいて表示する構成としている。
【００１５】
この構成により、記憶部に記憶されたアドレスに基づいて表示データを読み出し、表示データ表示部が表示することが可能となる。
【００１６】
また、本発明の第３の表示装置は、前記加速度検出部が、２次元における加速度を検出する構成としている。
【００１７】
この構成により、Ｘ軸及びＹ軸方向の位置変化を検出することができ、表示する文字や絵等の平面的な精度を向上させることができる。
【００１８】
また、本発明の第４の表示装置は、前記加速度検出部が、３次元における加速度を検出する構成としている。
【００１９】
この構成により、Ｘ軸とＹ軸及びＺ軸方向の位置変化を検出することができ、表示する文字や絵の空間的な精度を向上させることができる。
【００２０】
また、本発明の第５の表示装置は、前記加速度検出部は、角加速度を検出する構成としている。
【００２１】
この構成により、平面的または空間的な回転傾きを検出し、表示する文字のデータを補正することで、表示する文字や絵の回転的な精度を向上させることができる。
【００２２】
また、本発明の第６の表示装置は、前記空間位置算出部が、当該表示装置の移動の中心位置を算出し、前記表示データ表示部が、前記中心位置を前記表示データの中心の位置として、前記表示データを表示する構成としている。
【００２３】
この構成により、スイング（当該表示装置の移動）の動く範囲の中心を表示される文字列や絵の中心とするように設定することが可能である。
【００２４】
また、本発明の第７の表示装置は、前記空間位置算出部が、当該表示装置の移動範囲の端の位置を算出し、前記表示データ表示部が、前記端の位置を前記表示データの表示の開始位置として、前記表示データを表示する構成としている。
【００２５】
この構成により、文字の表示の開始位置をスイング（当該表示装置の移動）の動く範囲の端に設定することができる。
【００２６】
また、本発明の第８の表示装置は、前記表示データ表示部が、前記加速度検出部により当該表示装置の移動が検出された場合、前記表示データの表示を開始する構成としている。
【００２７】
この構成により、当該表示装置が表示データの表示位置に移動された場合に限らず、スイング（当該表示装置の移動）を検出した時点で表示処理を開始することができる。
【００２８】
また、本発明の第１の携帯端末装置は、上記表示装置を搭載した構成としている。
【００２９】
この構成により、どのような振り方をしても表示される文字が間延びしたり、歪んだりしないようにすることができ、且つ平面的もしくは立体的に文字や絵等の表示データを表示することができる。
【００３０】
また、本発明の第１の表示方法は、空間に表示するための表示データを表示するための表示方法であって、表示装置において、前記表示装置の加速度を検出するステップと、前記加速度に基づいて、前記表示データを表示させるための空間位置を算出するステップと、前記空間位置に前記表示装置が位置する場合、前記表示データを表示するステップとを有する表示方法としている。
【００３１】
この方法により、どのような振り方をしても表示される文字が間延びしたり、歪んだりしないようにすることができ、且つ平面的もしくは立体的に文字や絵等の表示データを表示することができる。
【発明の効果】
【００３２】
本発明によれば、空間の所定の位置にいつも同じデータを表示するので、どのように端末を振っても歪まずに文字を表示することができ、且つ文字や絵を平面や立体的に表示することができる。
【図面の簡単な説明】
【００３３】
【図１】本発明の実施形態における携帯端末装置の構成の一例を示す概略構成図
【図２】本発明の実施形態における携帯端末装置の動作の一例を説明するフローチャート
【図３】本発明の実施形態におけるスイング文字表示部による表示の一例を示す図
【図４】従来の携帯端末装置の構成を示す図
【図５】従来のスイング表示装置による文字表示例を示す図
【発明を実施するための形態】
【００３４】
以下、本発明の実施形態の携帯端末装置について、図面を用いて説明する。
【００３５】
図１は、本発明の実施形態の携帯端末装置の構成の一例を示す概略構成図である。
【００３６】
携帯端末装置１００は、加速度センサ１０１と、スイング文字表示部１０２と、操作部１０３と、表示部１０４と、記憶部１０５と、表示制御部１１０と、を有して構成される。尚、携帯端末装置１００は「表示装置」の一例である。
【００３７】
携帯端末装置１００は、ユーザに保持され、保持したユーザが携帯端末装置１００を振ることで空中に文字を表示する機能を備えている。
【００３８】
加速度センサ１０１は、携帯端末装置１００の移動や振動により発生する加速度を検出する。尚、加速度センサ１０１は「加速度検出部」としての機能を有する。
【００３９】
スイング文字表示部１０２は、表示データに応じて対応したＬＥＤなどの発光デバイスや液晶などの表示デバイスを規定の時間だけ点灯させ表示する。尚、スイング文字表示部１０２は「表示データ表示部」としての機能を有する。
【００４０】
操作部１０３は、表示する文字や絵、図形等の表示データの入力や選択などを行う。
【００４１】
表示部１０４は、操作部１０３で表示する文字や絵等の入力や選択を行う場合に、ユーザに必要な情報を表示する。
【００４２】
記憶部１０５が、空間に表示する文字や絵等のデータを蓄積する。これらの文字や絵等のデータは、表示すべき表示データビット列で表され、記憶部１０５におけるアドレスとともに管理されている。
【００４３】
表示制御部１１０は、加速度センサ１０１より検出した加速度に基づいて表示文字等の空間位置を判断し、記憶部１０５からデータを読み出して、スイング文字表示部１０２において、判断した位置に記憶部１０５から読み出したデータを表示するよう制御する。この表示制御部１１０は、２重積分部１１１と、空間位置と表示データの関連付け部１１２と、表示データ読み出し部１１３とを有して構成される。
【００４４】
２重積分部１１１は、加速度センサ１０１から出力される加速度データを２重積分して空間位置のデータに変換し、その情報を空間位置と表示データの関連付け部１１２に送る。尚、２重積分部１１１は「空間位置算出部」としての機能を有する。
【００４５】
空間位置と表示データの関連付け部１１２は、２重積分部１１１から送られる空間位置のデータと表示する文字等のデータとの対応を関連づけて読み出す表示データのビット列のアドレスを生成し、表示データ読出し部１１３に送る。尚、空間位置と表示データの関連付け部１１２は「アドレス生成部」としての機能を有する。
【００４６】
表示データ読み出し部１１３は、空間位置と表示データの関連付け部１１２から送られたアドレスに基づき、記憶部１０５から該当する表示データを読み出し、スイング文字表示部１０２に送る。
【００４７】
次に、携帯端末装置１００の動作について説明する。図２は、携帯端末装置１００の動作の一例を説明するフローチャートである。ここでは、主に文字の表示について取り上げているが、他の表示データであってもよい。
【００４８】
まず、操作部１０３による入力操作等により、文字表示の開始を設定すると、加速度センサ１０１が携帯端末装置１００の移動等に伴う加速度データの検出を開始する（ステップＳ２０１）。尚、入力操作ではなく、加速度センサ１０１などにより携帯端末装置１００の動きを検出することで、図２の動作を開始しても良い。
【００４９】
ステップＳ２０１で検出された加速度データが表示制御部１１０に送られ、２重積分部１１１が送られてきた加速度データに対して２重積分を行い、空間位置情報に変換する（ステップＳ２０２）。
【００５０】
そして、空間位置と表示データの関連付け部１１２は、ステップＳ２０２で変換された空間位置情報をもとに、文字や絵のデータを表示すべき位置に携帯端末装置１００が移動されたかどうかを判定する（ステップＳ２０３）。
【００５１】
携帯端末装置１００が表示すべき位置に移動されたと判定すると、空間位置と表示データの関連付け部１１２は、その位置で表示すべき表示データのビット列の記憶部１０５におけるアドレスを生成する（ステップＳ２０４）。この場合、空間位置と表示データの関連付け部１１２が、文字の表示の開始位置を携帯端末装置１００の動く範囲の端に設定することもできるし、携帯端末装置１００の動く範囲の中心を表示される文字列や絵の中心とするように設定することも可能である。
【００５２】
続いて、表示データ読み出し部１１３が、ステップＳ２０４で生成されたアドレスのデータを記憶部１０５から読み出す（ステップＳ２０５）。
【００５３】
読み出されたデータは、スイング文字表示部１０２に送られてスイング文字表示部１０２によって表示される（ステップＳ２０６）。
【００５４】
そして、表示制御部１１０が操作部１０３から文字表示の終了指示があるかを判断し（ステップＳ２０７）、文字表示の終了指示がないと判定した場合、ステップＳ２０１に戻り、再度携帯端末装置１００の移動に伴う加速度データの検出を開始する。
【００５５】
一方、ステップＳ２０７において、文字表示の終了指示があったと判定した場合、文字表示の処理を終了する。ユーザが文字表示を終了したいとき、操作部１０３により文字表示の終了指示が入力され、表示制御部１１０が操作部１０３からの文字表示の終了指示有無を判断することにより、文字表示を引続き実行するかを判定する。
【００５６】
また、ステップＳ２０３において、携帯端末装置１００が表示すべき位置に移動されていないと判定した場合、直ちにステップＳ２０７に進み、表示制御部１１０が操作部１０３からの文字表示の終了指示があるかを判断する。
【００５７】
次に、具体的なスイング文字表示部１０２による表示例について説明する。図３はスイング文字表示部１０２による表示例を示した図である。図３では、表示すべき文字は「ＡＢ」である。
【００５８】
図３（ａ）は、携帯端末装置１００の動く範囲が文字等の表示範囲よりも狭い場合の表示例を示す図である。この場合、表示すべき文字の最初の文字だけが表示されるなど、文字等がつぶれずに一部だけ表示される。
【００５９】
図３（ｂ）は、携帯端末装置１００の動く範囲が文字等の表示範囲と同じ場合の表示例を示す図である。この場合、表示すべき文字等が全て表示されている。
【００６０】
図３（ｃ）は、携帯端末装置１００の動く範囲が文字等の表示範囲よりも広い場合の表示例を示す図である。この場合、表示すべき文字等が全て表示されているが、表示範囲の一部では表示すべき文字等が無いため、何も表示されていない。
【００６１】
図３のように、携帯端末装置１００では、表示すべき文字を表示させる空間位置を固定位置としているため、文字等の幅が変化して歪むことようなことがなく、一定の形で表示される。
【００６２】
次に、加速度センサ１０１による加速度検出の一例について説明する。加速度センサ１０１は、例えば、（１）Ｘ軸及びＹ軸方向の加速度を検出、（２）Ｘ軸とＹ軸及びＺ軸方向の加速度を検出、（３）角加速度を検出することが可能である。
【００６３】
（１）Ｘ軸及びＹ軸方向の加速度を検出する場合
加速度センサ１０１は、Ｘ軸及びＹ軸方向の加速度を検出する。この場合、携帯端末装置１００において平面的に文字や絵等を表示する。加速度センサ１０１は、平面的な位置変化を検出する。これにより、スイング文字表示部１０２の表示する文字や絵等の平面的な精度を向上させることができる。
【００６４】
（２）Ｘ軸とＹ軸及びＺ軸方向の加速度を検出する場合
加速度センサ１０１は、Ｘ軸とＹ軸及びＺ軸方向の加速度を検出する。この場合、携帯端末装置１００において空間的に文字や絵等を表示する。加速度センサ１０１は、携帯端末装置１００において空間的な位置変化を検出する。これにより、スイング文字表示部１０２の表示する文字や絵等の空間的な精度を向上させることができる。
【００６５】
（３）角加速度を検出する場合
【００６６】
加速度センサ１０１は、携帯端末装置１００の平面的または空間的な傾きを検出するジャイロセンサである。この場合、携帯端末装置１００において傾きを検出して文字や絵等を表示する。加速度センサ１０１は、携帯端末装置１００の回転的な位置変化を検出する。これにより、スイング文字表示部１０２が表示する文字や絵等の回転的な精度を向上させることができる。尚、ジャイロセンサの代わりに、もしくはジャイロセンサに追加してカメラで外部の映像を撮影し、撮影した画像の変化から携帯端末装置１００の動きを検出して文字等の表示を補正してもよい。
【００６７】
このような携帯端末装置１００によれば、加速度センサ１０１で検出した加速度データを２重積分部１１１で２重積分して位置情報に変換し、この位置情報に基づいて空間位置と表示データの関連付け部１１２で表示する文字や絵等のデータのアドレスを生成し、アドレスのデータを表示データ読み出し部１１３が記憶部１０５から読み出してスイング文字表示部１０２に送り、表示を行う。これによって、スイング文字表示部１０２が位置情報に基づいて文字や絵等のデータを表示することができ、携帯端末装置１００がどのような動きをしても文字や絵等をひずみ無く表示することができる。
【産業上の利用可能性】
【００６８】
以上のように、本発明は、どのような振り方をしても表示される文字が間延びしたり、歪んだりしないようにすることができ、且つ平面的または立体的に文字や絵を表示することができるという効果を有し、ＬＥＤを使用して文字や図形を表示する空間表示装置、携帯端末装置等として有用である。
【符号の説明】
【００６９】
１００  携帯端末装置
１０１  加速度センサ
１０２  スイング文字表示部
１０３  操作部
１０４  表示部
１０５  記憶部
１１０  表示制御部
１１１  ２重積分部
１１２  空間位置と表示データ関連付け部
１１３  表示データ読み出し部
４００  携帯端末装置
４０１  ＬＥＤ
【手続補正３】
【補正対象書類名】図面
【補正対象項目名】全図
【補正方法】変更
【補正の内容】
【図１】
2009013791.tif 000008
【図２】
2009013791.tif 000009
【図３】
2009013791.tif 000010
【図４】
2009013791.tif 000011
【図５】
2009013791.tif 000012
【国際調査報告】
2009013791.tif 000013
2009013791.tif 000014
2009013791.tif 000015
2009013791.tif 000016